(57)【要約】【課題】ＥＮＵＭを用いることで、サーバの改修を伴うことなく、着信側の位置情報を的確に把握し、当該位置情報に基づいて通信を確立することを可能とする。【解決手段】本発明のＲＦＩＤタグを用いたネットワークシステムは、ＲＦＩＤタグと無線通信を行うことでユーザの位置情報を取得するＲＦＩＤタグリーダ１ａを備えたパソコン１と、上記位置情報と利用可能な機器のアドレスとを対応付けて管理するロケーションサーバ８と、ＥＮＵＭ機能により上記ユーザと関連のある記機器を特定するＥＮＵＭ・ＤＮＳ９とを具備し、パソコン１が特定された機器と通信を行うことを特徴とする。【選択図】      図１
2005323172.tif 000002
【特許請求の範囲】
【請求項１】
少なくとも位置情報と利用可能な機器とを対応付けて管理する管理手段と、
ＲＦＩＤタグを用いてユーザの現在の位置情報を取得する位置情報取得手段と、
上記管理手段を参照して、上記ユーザの現在の位置情報に対応する機器を関連付けた関連情報を配布する配布手段と、
ＥＮＵＭ機能により、上記関連情報に基づいて上記ユーザと関連のある上記機器を特定する特定手段と、
上記特定された上記機器と通信を行う通信手段と、
を具備することを特徴とするＲＦＩＤタグを用いたネットワークシステム。
【請求項２】
複数のユーザの位置情報と各ユーザが利用可能な機器のアドレスとを少なくとも対応付けて管理する第１のテーブルと、ＲＦＩＤタグより得たユーザＩＤと位置情報とを少なくとも対応付けて管理する第２のテ−ブルとを有する管理手段と、
発信側端末よりユーザＩＤを加工した情報を受信した場合には、ＥＮＵＭ機能により、当該ユーザＩＤを加工した情報と関連のある上記機器のアドレスを全て抽出し、当該アドレスを発信側端末に返信する特定手段と、
を具備することを特徴とするＲＦＩＤタグを用いたネットワークシステム。
【請求項３】
上記管理手段は、ユーザＩＤと当該ユーザＩＤにより特定されるユーザが属するグループのグループＩＤとを少なくとも対応付けて管理する第３のテーブルを更に有し、
上記特定手段は、ユーザＩＤに対応するグループＩＤと関連のある上記機器のアドレスを全て抽出し、当該アドレスを上記発信側端末に返信する、ことを更に特徴とする請求項２に記載のＲＦＩＤタグを用いたネットワークシステム。
【請求項４】
上記管理手段の第１乃至第３のテーブルで管理されている情報を閲覧可能に加工する閲覧手段を更に有し、この閲覧手段は、上記発信側端末よりユーザＩＤを受信した場合には、上記第１乃至第３のテーブルを参照して、当該ユーザＩＤに関係するグループＩＤに対応する全てのユーザの位置情報を閲覧可能に加工し当該発信側端末に返信することを更に特徴とする請求項３に記載のＲＦＩＤタグを用いたネットワークシステム。
【発明の詳細な説明】
【技術分野】
【０００１】
本発明は、ＲＦＩＤタグを用いたネットワークシステムに関する。
【背景技術】
【０００２】
従来、例えばオフィスではコミュニケーション向上のために様々な手段が導入されているが、インターネット技術を活用した新しい音声通話サービスであるＩＰ電話も普及している。このようなＩＰ電話のサービスでセッションの確立やＩＰ電話で通話先に電話をかけるといった呼制御を受け持つのがＳＩＰ(Session Initiation Protocol)であるが、当該ＳＩＰは従前の呼制御プロトコルであるＨ．３２３に比してインターネット技術との親和性が高いとされている。尚、一般には、ＳＩＰでは、ＳＩＰサーバを管理している団体に属する加入者間でのみモバイルオフィス系のサービスを利用する事が可能となる。
【０００３】
しかしながら、このようなコミュニケーション環境が発展したオフィスであっても、着信者は業務内容に応じて適宜移動することから、必ずしも所定の場所に在籍しているとは限らず、何らかの手段で着信者と確実に電話連絡をとることが嘱望されている。
【０００４】
このような課題に着目して、例えば非特許文献１では、富士通研の「ユビキタスＩＰ電話システム」に関する技術が開示されている。同システムは、ユーザのプレゼンスを管理するサービス基盤に「プレゼンスに応じて着信端末を決定するシステム」や「プレゼンス情報をインターネット／イントラネット間でやりとりするゲートウェイ」を組み合わせて着信側の場所に応じて適切な手段で電話連絡をとるものであり、ユーザの位置情報の把握には電池内蔵のアクティブ型のＲＦＩＤタグを用いている。
【０００５】
一方、今日では  ＳＩＰやＨ．３２３といったＩＰ電話やメッセンジャーサービスの呼制御プロトコルに依存しないサービス展開を実現するものとしてＤＮＳの仕組みを応用したＥＮＵＭが注目されている。
【非特許文献１】ＩＴｍｅｄｉａモバイル「状況に応じてＩＰ電話か携帯電話か選んで着信−富士通研のシステム」  http://www.itmedia.co.jp/mobile/articles/0404/16/news076.html
【発明の開示】
【発明が解決しようとする課題】
【０００６】
しかしながら、前述した富士通研の「ユビキタスＩＰ電話システム」では、発信側からの発信情報を受け取った場合に着信側のプレゼンスを管理しているサービス基盤に問い合わせを行い着信先を決定するＩＰ電話サーバの導入が必要不可欠であり、そのためには既存システムの改修を伴うことになる。一方、ＥＮＵＭを用いると、当該ＥＮＵＭは汎用的なプロトコルであるため実装が容易で既存システムへの改修は不要となるが、前述した非特許文献１に係る技術ではＥＮＵＭを用いることについては示唆すらされていない。
【０００７】
本発明は上記問題に鑑みてなされたもので、その目的とするところは、ＥＮＵＭを用いることで、既存システムの改修を伴うことなく、着信側の位置情報を的確に把握し、通信を確立することが可能なＲＦＩＤタグを用いたネットワークシステムを提供することにある。
【課題を解決するための手段】
【０００８】
上記目的を達成するために、本発明の第１の態様では、少なくとも位置情報と利用可能な機器とを対応付けて管理する管理手段と、ＲＦＩＤタグを用いてユーザの現在の位置情報を取得する位置情報取得手段と、上記管理手段を参照して、上記ユーザの現在の位置情報に対応する機器を関連付けた関連情報を配布する配布手段と、ＥＮＵＭ機能により、上記関連情報に基づいて上記ユーザと関連のある上記機器を特定する特定手段と、上記特定された上記機器と通信を行う通信手段とを具備することを特徴とするＲＦＩＤタグを用いたネットワークシステムが提供される。
【０００９】
本発明の第２の態様では、複数のユーザの位置情報と各ユーザが利用可能な機器のアドレスとを少なくとも対応付けて管理する第１のテーブルと、ＲＦＩＤタグより得たユーザＩＤと位置情報とを少なくとも対応付けて管理する第２のテ−ブルとを有する管理手段と、  発信側端末よりユーザＩＤを加工した情報を受信した場合には、ＥＮＵＭ機能により、当該ユーザＩＤを加工した情報と関連のある上記機器のアドレスを全て抽出し、当該アドレスを発信側端末に返信する特定手段と、を具備することを特徴とするＲＦＩＤタグを用いたネットワークシステムが提供される。
【００１０】
本発明の第３の態様では、上記第２の態様において、上記管理手段は、ユーザＩＤと当該ユーザＩＤにより特定されるユーザが属するグループのグループＩＤとを少なくとも対応付けて管理する第３のテーブルを更に有し、上記特定手段は、ユーザＩＤに対応するグループＩＤと関連のある上記機器のアドレスを全て抽出し、当該アドレスを上記発信側端末に返信する、ことを更に特徴とするＲＦＩＤタグを用いたネットワークシステムが提供される。
【００１１】
本発明の第４の態様では、上記第３の態様において、上記管理手段の第１乃至第３のテーブルで管理されている情報を閲覧可能に加工する閲覧手段を更に有し、この閲覧手段は、上記発信側端末よりユーザＩＤを受信した場合には、上記第１乃至第３のテーブルを参照して、当該ユーザＩＤに関係するグループＩＤに対応する全てのユーザの位置情報を閲覧可能に加工し当該発信側端末に返信することを更に特徴とするＲＦＩＤタグを用いたネットワークシステムが提供される。
【発明の効果】
【００１２】
本発明によれば、ＥＮＵＭを用いることで、既存システムの改修を伴うことなく、着信側の位置情報を的確に把握し、当該位置情報に基づいて通信を確立することが可能なＲＦＩＤタグを用いたネットワークシステムを提供することができる。
【発明を実施するための最良の形態】
【００１３】
以下、図面を参照して、本発明の実施の形態について説明する。
【００１４】
先ず、図１には、本発明の第１の実施の形態に係るＲＦＩＤタグを用いたネットワークシステムの構成を示し説明する。図１において、符号２２，２３はオフィス等に配置された机を示している。ここでは、説明の便宜上、２つの机２２，２３のみを示しているが、各オフィスの各フロアに複数の机が配置されており、社員等のユーザが所望とする机を自己の業務スペースとして適宜選択できるような環境等を想定している。
【００１５】
この机２２の上には、予めＩＰ電話機２が配設されている。ユーザは、自己のパーソナルコンピュータ（以下、パソコンと称する）１を所望とする机（この例では机２２）上に置いて業務を行うことになる。これは、机２３についても同様であり、机上には予めＩＰ電話機１２が配設されており、ユーザは、自己のパソコン１１を机上に置いて業務を行うことになる。このパソコン１，１１は、不図示のＬ２スイッチ、ルータ５，６を介してＩＰ網１０に通信自在に接続されている。尚、無線ＬＡＮの技術も適用可能である。
【００１６】
尚、このＩＰ網１０には、社内ネットワークの如き概念も含まれる。
【００１７】
さらに、ＲＦＩＤタグを用いたネットワークシステムでは、ＩＰ網１０にＳＩＰ(Session Initiation Protocol)サーバ９、ロケーションサーバ８、ＥＮＵＭ・ＤＮＳ(Domain Name System)９が接続されている。ＳＩＰとは、ＩＰネットワークにおいて音声やビデオ、テキスト等を使った通信（セッション）を確立／変更／終了させる呼制御を行うためのプロトコルである。このＳＩＰは、既存の公衆網向けのプロトコルであるＨ．３２３よりもＩＰ技術との親和性が高く、拡張性に優れている。ＥＮＵＭとは、一般的にはＩＴＵ−Ｔ（国際電気通信連合−電気通信標準化部門）の勧告であるＥ．１６４の中で規定されている電気通信番号であるＥ．１６４番号に基づく電話番号をドメイン名に変換し、ＤＮＳを検索することで対応するサービスとアドレスをＵＲＩ形式で得る機能である。
【００１８】
また、ＩＰ網１０にはゲートウェイサーバ１３、ＳＭＴＰ(Simple Mail Transfer Protocol)サーバ１７、Ｗｅｂサーバ１８、サーバ１９が接続されている。ゲートウェイサーバ１３は、ＩＰ網１０より送られてきたＩＰパケットをアナログ音声に変換し、交換機１４ａ，１４ｂ、ＰＳＴＮ(Public Switched Telephone Network)１５を介して一般電話機１６に送るものである。ＳＭＴＰサーバ１７は、インターネット上で電子メールを送受信するためのサーバであり、Ｗｅｂサーバ１８は、インターネット上で公開するＷｅｂページのデータを保存し、Ｗｅｂブラウザ等からの要求に従ってＨＴＭＬなどのファイルをＨＴＴＰで送信するサーバである。以上の他、サーバ１９は、ファクシミリ装置２０、ネットワークプリンタ２１、不図示のＷｅｂカメラ用に配設されたものである。
【００１９】
尚、詳細は後述するが、ＥＮＵＭ機能によれば、机２２のユーザから現在、机２３にいる相手への連絡方法・情報取得手段として複数の通信サービス、Ｗｅｂ、電子メール、電話、Ｆａｘ、そして不図示のＷｅｂカメラ等に接続できることが判るのである。
【００２０】
第１の実施の形態のシステムでは、パソコン１，１１にＲＦＩＤタグリーダ１ａが設けられており、机２２，２３、ＩＰ電話機２，１２、社員証３、携帯電話機４には、ＲＦＩＤタグ２２ａ，２３ａ，２ａ，１２ａ，３ａ，４ａがそれぞれ設けられている。従って、ＲＦＩＤタグリーダ１ａは、これらＲＦＩＤタグと無線通信を行うことで、当該ＲＦＩＤタグ内のメモリに記憶されているデータを適宜得ることができる。
【００２１】
例えば、詳細は後述するが、机２２のＲＦＩＤタグ２２ａと社員証３のＲＦＩＤタグ３ａのデータを同時に読み込み、これらデータを関連付ける事も可能である。即ち、この場合には、机２２のユーザである社員が誰であるのかが明らかになる。
【００２２】
尚、本実施の形態では、電池を内蔵していないパッシブ型のＲＦＩＤタグを用い、ＲＦＩＤタグリーダはユーザが携帯するパソコンに配備する形態を取っている。このようにパッシブ型のＲＦＩＤタグを用いることでコストの削減が図れると共に、配線等を引く必要もないといった利点が生まれる。さらに、パッシブ型のＲＦＩＤタグでは、予め所定の数列が記憶されておりＤＢの方で対応付けるような形式になっているので、例えば引越し等により机の配置が変わった場合であっても、当該机に貼られたＲＦＩＤタグを取り換える作業は不要であり、ＤＢの内容を更新すれば足りることになる。
【００２３】
上記ロケーションサーバ８は、データベース（以下、ＤＢと称する）を備えており、図２（ａ）に示すような物品ロケーションテーブル、図２（ｂ）に示すような社員在席ロケーションテーブルを管理している。物品ロケーションテーブルは、管理者等により予め登録されるものであり、場所情報、種別、アドレス、設定情報が対応付けられて記憶されている。場所情報とは、机の位置情報等であり、例えば机２２のＲＦＩＤタグ２２ａは当該机２２の位置情報と対応づけられている。種別とは、通信相手先のカテゴリを示す。アドレスとは、通信相手先のアドレスであり、ＳＩＰアドレスは、電子メールアドレスと同じようにユーザ名＠ドメイン名といった表記になるが、ＳＩＰ  ＵＲＩは当該ＳＩＰアドレスにＳＩＰプロトコルを示す「ｓｉｐ：」を前に表記した形式となる。
【００２４】
社員在席ロケーションテーブルでは、社員ＩＤと場所情報、優先度、時間等とが対応付けられている。この社員ＩＤとは、社員番号の如きものであり、社員証３のＲＦＩＤタグ３ａには、その社員の社員ＩＤが予め記憶されている。場所情報については、前述した通りである。優先度とは、ある社員の通信先が複数ある場合に、いずれを優先すべきかを判断する上で指標となるものである。この例では、優先度の数値が小さい程、優先すべき度合いが高いことを意味する。時間とは、最近に当該社員ＩＤにより特定される社員が在席した時間を示している。この社員在席ロケーションテーブルは、各社員毎にデフォルトでのアクセス先を予め登録する位置付けのものである。
【００２５】
ロケーションサーバ８は、上記ＤＢに基づいて図２（ｃ）に示されるようなゾーンファイルを作成し、ＥＮＵＭ・ＤＮＳ９に送信する。ＥＮＵＭ・ＤＮＳ９は、当該ゾーンファイルを登録する。ここで、ゾーンファイルとは、あるゾーンに関する情報が全て記載されたファイルであり、その中身はリソースレコードの集合で、ヘッダに当たる部分と、それ以外のリソースコード群で構成されている。図２（ｃ）のゾーンファイルでは、社員ＩＤの並び順を逆順に並び替え各数字の間に“．”を入れた番号と、固定クラスである「ＩＮ(Internet)」、ナプタリソースーレコードを示す「ＮＡＰＴＲ」、優先度、最終応答を示す“ｕ”、種別、そしてＵＲＬが対応付けられている。例えば、上から２段目の例では、社員ＩＤ２００２と「sip:811234@naisen.com」とが対応付けられている。
【００２６】
以上のような構成において、この実施の形態のＲＦＩＤタグを用いたシステムでは、詳細は後述するが、ＲＦＩＤタグに基づいてユーザの現在の位置情報を取得し、当該位置情報をロケーションサーバ８のテーブルに登録し、当該テーブルに基づくゾーンファイルをＥＮＵＭ・ＤＮＳ９が受信し更新しているので、通話時には発信側の端末より着信者の社員ＩＤを加工した情報をＥＮＵＭ・ＤＮＳ９に送信するだけで、当該社員ＩＤに対する着信先の情報（例えば、通信サービスの種別、及び各アドレス等）を得ることができる。
【００２７】
即ち、この実施の形態のシステムでは、ＩＰ電話機２，１２自体がＥＮＵＭ・ＤＮＳ９への問い合わせ機能を持っている。このようにＥＮＵＭを用いると、サーバに対して特殊な改修を施さなくても、番号（この例では社員ＩＤを改変したもの）から通信対象を容易に特定することが可能となる。さらに、ＥＮＵＭは、既存のＤＮＳを利用する仕組みなので、インターネットアクセスできる環境であれば何処にいても利用可能である。また、ＥＮＵＭは、ＳＩＰやＨ３２３といったＩＰ電話やメッセンジャーサービスの呼制御プロトコルに依存しないサービスも展開可能である。
【００２８】
尚、請求項に記載の位置情報取得手段とはＲＦＩＤタグリーダ１ａ等に相当し、管理手段、或いは配布手段とはロケーションサーバ８等に相当し、特定手段とはＥＮＵＭ・ＤＮＳ９等に相当し、通信手段、発信側端末とはパソコン１やＩＰ電話機２等に相当する。さらに、請求項に記載の第1乃至第３のテーブルとは、物品ロケーションテーブル、社員在席ロケーションテーブル、グループ管理テーブル等に相当する。
【００２９】
以下、図３のフローチャートを参照して、本発明の第１の実施の形態に係るＲＦＩＤタグを用いたネットワークシステムによる動作を説明する。ここでは、ユーザである社員が所望とする机に着席したとき及び退席したときの動作を説明する。
【００３０】
社員が、例えばオフィスのあるフロアの職務スペースに配置されている複数の机の中から所望とする机２２を自己の業務用に選び、着席し、パソコン１の電源をオンすると、パソコン１に接続されているＲＦＩＤタグリーダ１ａが作動し、机２２のＲＦＩＤタグ２２ａと社員証３のＲＦＩＤタグ３ａを同時に読み込む（ステップＳ１）。パソコン１は、このＲＦＩＤタグ２２ａから読み込んだ場所情報（現在の位置情報に相当）と、ＲＦＩＤタグ３ａより読み込んだ社員ＩＤとを対応付けて、ルータ５を介して、ロケーションサーバ８に送信する（ステップＳ２）。すると、ロケーションサーバ８は、図４（ａ）に示されるようにＤＢの社員在席ロケーションテーブルを更新し（ステップＳ３）、当該更新後のＤＢの内容に基づいて図４（ｂ）に示されるようにゾーンファイルを書き出し、ＥＮＵＭ・ＤＮＳ９に送信する（ステップＳ４）。ＥＮＵＭ・ＤＮＳ９では、当該ゾーンファイルを受信し、蓄積及び更新することになる（ステップＳ５）。以上で、着席時の動作を終了する。社員ＩＤ２００１の者が着席した場合には、図４（ａ）の社員在席ロケーションテーブルにおける下段(key2)が上記動作により新たに追加されたレコードに相当し、図４（ｂ）のゾーンファイルにおける上段２つが上記動作により新たに追加されたレコードに相当する。
【００３１】
一方、社員が、退席すると、パソコン１は当該退席を検知し、ユーザＩＤとしての社員ＩＤをロケーションサーバ８に送信する（ステップＳ６）。ここで、パソコン１のＲＦＩＤタグリーダ１ａは定期的にＲＦＩＤタグと無線通信を行っているので、社員の退席を社員証３との無線通信の切断により検知できるようになっている。ロケーションサーバ８は、上記ユーザＩＤとしての社員ＩＤを受信すると、社員在席ロケーションテーブルより対応するデータを削除することになる（ステップＳ７）。例えば、社員ＩＤ２００１の者が退席した場合には、図４（ａ）の下段(key2)のレコードが削除される。
【００３２】
次いで、ロケーションサーバ８は、ゾーンファイルの書き出しを行い、ＥＮＵＭ・ＤＮＳ９に送信する（ステップＳ８）。尚、このゾーンファイルは図４（ｂ）に示される上段２つの社員ＩＤ２００１に関するレコードが消去されたものとなっている。こうして、ＥＮＵＭ・ＤＮＳ９では、当該ゾーンファイルを受信し、蓄積及び更新することになる（ステップＳ９）。以上で、退席時の動作を終了する。
【００３３】
次に図５のフローチャートを参照して、本発明の第１の実施の形態に係るＲＦＩＤタグを用いたネットワークシステムによる通信動作を詳細に説明する。ここでは、机２２を使用している社員を発信側、机２３を使用している社員を着信側と想定する。それぞれのロケーションテーブルへの登録・更新は、前述した動作により完了しているものとする。
【００３４】
尚、前述したとおり、この実施の形態のシステムでは、ＩＰ電話機２，１２自体もＥＮＵＭ・ＤＮＳの直接的な問い合わせ機能を持っていることを前提としている。
【００３５】
発信側（社員ＩＤ２００２）のＩＰ電話機２（又はパソコン１）に着信側の社員ＩＤ（社員ＩＤ２００１）が入力されると、ＩＰ電話機２は当該社員ＩＤの数字の並び順を逆順とし、数字の間に“．”を付するように加工し、当該加工された番号をＥＮＵＭ・ＤＮＳ９に送信する（ステップＳ１１）。即ち、着信側の社員ＩＤ２００１を「１．０．０．２」の如く加工して、ＥＮＵＭ・ＤＮＳ９に送信することになる。
【００３６】
ＥＮＵＭ・ＤＮＳ９は、この問い合わせを受けると、図６に示されるような社員ＩＤ２００１に対応するゾーンファイルを参照して、「１．０．０．２」に対応するレコードの全てを読み出し、発信側に送信する（ステップＳ１２）。発信側のＩＰ電話機２（又はパソコン１）には、このレコードが選択可能に表示され、ユーザである発信者（社員ＩＤ２００２）に選択を促すことになる（ステップＳ１３）。
【００３７】
この図６に示した例では、社員ＩＤ２００１に対する通信対象として、社員ＩＤ２００１の者が在席しているデスク上のＩＰ電話機１２（sip:05020002001@ip-phone.com）、ネットワークプリンタ２１(10.0.1.1)、或いは不図示の携帯電話機(tel:09012345678)が選択可能となっている。そして、優先度によれば、携帯電話機が優先すべき度合いが最も低くなっている（優先度１００）。尚、ＩＰ電話機２（又はパソコン１）に実装されたアプリケーションにより、この優先度に基づいて自動的に選択するようにしてもよい。
【００３８】
そして、発信側の社員により又は自動的にＩＰ電話機１２（又はパソコン１１）が選択されると、発信側のＩＰ電話機２（又はパソコン１）は、inviteリクエスト（このとき発信者番号として社員ＩＤをfrom:tagに入れる）をＳＩＰサーバ８に送信する（ステップＳ１４）。ＳＩＰサーバ８は、着信先のＩＰ電話機１２の呼び出しを行う。尚、不図示であるが、呼び出し中との状態はRingingステータスにより発信側に通知されることになる。着信時には着信側のＩＰ電話機１２（又はパソコン１１）は発信者番号を表示する（ステップＳ１５）。こうして、通話が成立する（ステップＳ１６）。
【００３９】
この図５の動作においては、通信対象として一般電話機１６、ＳＭＴＰサーバ１７、ファクシミリ装置２０、ネットワークプリンタ２１、Ｗｅｂカメラ等がＥＮＵＭ・ＤＮＳ９により抽出され、発信側に送信された場合には、発信側はＩＰ電話機２同士での通話のみならず、一般電話機１６との通話、電子メールの送信、ファクシミリの送信、プリントアウト等をパソコン１等の画面上で適宜選択して所望とする動作を指示することができるようになっている。これは、本実施の形態に係るＲＦＩＤタグを用いたネットワークシステムがＥＮＵＭを採用していることによりもたらされる効果であるといえる。
【００４０】
以上説明したように、本発明の第１の実施の形態によれば、パソコンのＲＦＩＤタグリーダが社員証のＲＦＩＤタグと机のＲＦＩＤタグを同時に読み取ることで簡易にユーザである社員の所在、即ち場所情報をロケーションサーバに登録することができる。さらに、ＥＮＵＭを利用しているので、発信側のＩＰ電話機、パソコンで実際に通信を所望とする場合には、ＩＰ電話機又はパソコンから通信対象者の識別番号（例えば、社員ＩＤ等）を加工して直接的にＥＮＵＭ・ＤＮＳに送信するだけで、当該通信対象者への通信サービスの情報を得ることができ、更には優先度に基づいて適切な通信サービスを簡易に手動又は自動で選択することができる。このように、ＲＦＩＤタグを用いることにより得られる位置情報とＥＮＵＭを用いることによる通信サービスの情報の取得が相乗効果をもたらし、全体として簡易な構成で迅速且つ的確に好適な通信を実現することが可能となる。
【００４１】
次に本発明の第２の実施の形態について説明する。
【００４２】
前述した第１の実施の形態に係るＲＦＩＤタグを用いたネットワークシステムでは、通信相手は社員ＩＤにより特定される一人であったが、当該社員ＩＤに対する通信サービスが複数存在し、それを特定できたとしても、例えば緊急の所要で相手方と早急に連絡を取りたい場合には、電子メールやＦＡＸでは対応が不十分と成り得る場合もある。一般に、社用で連絡をとりたいような場合には、特定の通信相手と電話連絡をとれないとしても、当該通信相手の属するセクションの者であれば、対応できるような場合もありえる。
【００４３】
第２の実施の形態に係るＲＦＩＤタグを用いたシステムでは、このような点に着目し、関連のある複数の通信相手（例えば社員）を対応付けてグループとして登録し、ＥＮＵＭによる通信サービスの情報提供にあたっても、特定の通信相手に関する情報のみならず、当該特定の通信相手の属するグループの情報を全て提供するようにしている。
【００４４】
以下、これをふまえて詳細について言及する。
【００４５】
本発明の第２の実施の形態に係るＲＦＩＤタグを用いたネットワークシステムの基本的な構成は先に示した図１と略同様であるので、ここでは図１と同一構成については同一符号を用いて適宜参照して説明する。第１の実施の形態と異なる点は、ロケーションサーバ８は図７（ａ）に示されるようなグループ管理テーブルを備える点である。即ち、このグループ管理テーブルでは、グループ番号と社員ＩＤとが対応付けて記憶されている。このグループ番号とは、何らかのカテゴリで区分けされたグループを特定する為のものであり、当該社員ＩＤの社員の属するグループを特定するための数列である。
【００４６】
従って、第２の実施の形態では、ロケーションサーバ８がゾーンファイルを書き出す場合にも、当該グループ管理テーブルを参照して、図７（ｂ）に示されるようにグループ被登録社員の電話情報をグループ番号のレコードとして掲載する。
【００４７】
この図７（ｂ）の例では、下４段分がグループに関わるレコードであり、グループ番号の並び順を逆順に並び替え、各数字の間に“．”を加えた8.8.0.0に対応付けて、当該グループ００８８に属する社員ＩＤ２００１，２００２の電話情報が載せられる。尚、電話情報以外の情報を合わせて載せるようにしてもよいことは勿論である。
【００４８】
尚、このような第２の実施の形態に係るＲＦＩＤタグを用いたネットワークシステムによる通話動作は、図３と略同様であり、図３のステップＳ４，Ｓ８でロケーションサーバ８がゾーンファイルを書き出すときに、前述したようなグループ管理テーブルも参照する点が異なるのみである。従って、ここでは重複した説明は省略する。
【００４９】
この第２の実施の形態に係るＲＦＩＤタグを用いたネットワークシステムでは、ＥＮＵＭ・ＤＮＳ９が、図７（ｂ）に示されるようなゾーンファイルを参照して、社員ＩＤの社員の属するグループへの通信サービスの情報が全て発信側端末であるＩＰ電話機１又はパソコン２に送信されるので、発信者は、そのグループ全ての情報から好適な通信サービスを特定し、実際に通信を行うことが可能となる。したがって、例えば、ＩＰ電話による通話を行う場合であれば、所望とする社員が存在していない場合であっても、当該グループの者が用件に対応できるような状況をもたらすことになる。
【００５０】
次に、図８のフローチャートを参照して、本発明の第２の実施の形態に係るＲＦＩＤタグを用いたネットワークシステムによる動作の別の例として、グループに属するメンバの状態表示に関する一連の処理を詳細に説明する。
【００５１】
パソコン１がＷｅｂブラウザ等を起動して、ルータ５及びＩＰ網１０を介してＷｅｂサーバ１８にアクセスすると（ステップＳ２１）、Ｗｅｂサーバ１８は、図９（ａ）に示されるようなグループＩＤ入力画面に係るファイルを送信する（ステップＳ２２）。パソコン１は、このファイルを受信すると、当該画面を表示し、グループＩＤが実際に入力されると当該グループＩＤをＷｅｂサーバ１８に送信する（ステップＳ２３）。
【００５２】
Ｗｅｂサーバ１８は、当該グループＩＤに基づいてロケーションサーバ８に問い合わせを行うことになる（ステップＳ２４）。そして、ロケーションサーバ８は、当該問い合わせを受けると、当該グループＩＤに対応する情報をＤＢより抽出し（ステップＳ２５）、当該情報をＷｅｂサーバ１８に送信することになる（ステップＳ１８）。
【００５３】
Ｗｅｂサーバ１８では、当該情報を受信するとＷｅｂブラウザで閲覧可能なように加工してファイルをパソコン１に送信する（ステップＳ２６）。こうして、パソコン１は、このファイルを受信すると、図９（ｂ）に示されるように、グループメンバの状態を表示する（ステップＳ２７）。これにより、パソコン１のユーザである社員は、グループメンバの所在を明確に確認することが可能となる。
【００５４】
以上詳述したように、本発明の第２の実施の形態によれば、ユーザである社員等が所定のカテゴリによりグループに区分され、グループＩＤによりグループ管理テーブルで管理しているので、発信側のＩＰ電話機やパソコンにより通信を所望とする社員ＩＤを加工した情報をＥＮＵＭ・ＤＮＳに送信すると、当該社員ＩＤの社員に対する通信サービスだけではなく、当該社員の属するグループ全体に対する通信サービスの情報が返信されることになるので、発信側は当該情報に基づきグループ全体をふまえて好適な通信サービスを特定することができることになる。したがって、前述したように、通信を所望とする社員ＩＤの社員が不在であるような場合でも、当該社員の属するグループの者と簡易且つ迅速に通信できることになるといった効果をもたらす。さらには、グループＩＤにより管理されているグループに属する者の所在を簡易に確認することも可能となる。
【００５５】
以上、本発明の実施の形態について説明したが、本発明はこれに限定される事なくその趣旨を逸脱しない範囲で種々の改良・変更が可能であることは勿論である。
【００５６】
例えば、上記実施の形態では、本システムを社内向けに適用する例を示したが、これに限定されることなく、種々の環境に適用可能である。
【００５７】
また、社員等のユーザが複数のグループに属するような場合には、当該社員に対する通信の用件に応じて、優先度を変えることで、より的確に通信サービスを特定できるようにすることも可能である。更に、ＥＮＵＭ・ＤＮＳでは、ユーザが退席してレコードが削除された後においても、ユーザＩＤと携帯電話番号等とを対応付けて記憶しているので、適宜、他のユーザに特定のユーザの携帯電話番号等を返信することもできる。
【図面の簡単な説明】
【００５８】
【図１】本発明の第１の実施の形態に係るＲＦＩＤタグを用いたネットワークシステムの構成図。
【図２】（ａ）は物品ロケーションテーブルの一例を示す図、（ｂ）は社員在席ロケーションテーブルの一例を示す図、（ｃ）はロケーションサーバ８からＥＮＵＭ・ＤＮＳ９に送られるゾーンファイルを一例を示す図。
【図３】本発明の第１の実施の形態に係るＲＦＩＤタグを用いたネットワークシステムによる動作を説明するフローチャート。
【図４】（ａ）は社員在席ロケーションテーブルの一例を示す図、（ｂ）はゾーンファイルの一例を示す図。
【図５】本発明の第１の実施の形態に係るＲＦＩＤタグを用いたネットワークシステムによる通信動作を詳細に説明するフローチャート。
【図６】ゾーンファイルの一例を示す図。
【図７】（ａ）はグループ管理テーブルの一例を示す図、（ｂ）はゾーンファイルを一例を示す図。
【図８】本発明の第２の実施の形態に係るＲＦＩＤタグを用いたネットワークシステムによる動作の別の例として、グループに属するメンバの状態表示に関する一連の処理を詳細に説明するフローチャート。
【図９】（ａ）はグループＩＤ入力画面の一例を示す図、（ｂ）は在席表示の一例を示す図。
【符号の説明】
【００５９】
１・・・パソコン、２・・・ＩＰ電話機、３・・・社員証、４・・・携帯電話機、５・・・ルータ、６・・・ルータ、７・・・ＳＩＰサーバ、８・・・ロケーションサーバ、９・・・ＥＮＵＭ・ＤＮＳ、１０・・・ＩＰ網、１１・・・パソコン、１２・・・ＩＰ電話機、１３・・・ゲートウェイサーバ、１４・・・交換機、１５・・・ＰＳＴＮ、１６・・・一般電話機、１７・・・ＳＭＴＰサーバ、１８・・・Ｗｅｂサーバ、１９・・・サーバ、２０・・・ファクシミリ装置、２１・・・ネットワークプリンタ、２２・・・机、２３・・・机。
【図１】
2005323172.tif 000003
【図２】
2005323172.tif 000004
【図３】
2005323172.tif 000005
【図４】
2005323172.tif 000006
【図５】
2005323172.tif 000007
【図６】
2005323172.tif 000008
【図７】
2005323172.tif 000009
【図８】
2005323172.tif 000010
【図９】
2005323172.tif 000011